(57)【要約】【課題】ホログラフィック媒体に入射する再生用位相共役参照光の角度が変化してもホログラフィック媒体上の入射点の位置が変わらないようにするホログラフィックロム用駆動ミラーを用いたホログラフィック装置を提供する。【解決手段】ベースと、ベース上に固定され第１圧電アクチュエータが突設された固定体と、ベース上に直線移動可能に取り付けられ第２圧電アクチュエータが突設された移動体と、移動体に回転可能に設けられミラーが搭載された回転体と、回転体の回動と移動体の直線移動を助けるため、固定体−移動体間と移動体−回転体間に連結されるばねと、第１圧電アクチュエータと接触するように移動体に設けられた第１移動突起と、第２圧電アクチュエータと接触するように回転体に設けられた第２移動突起と、第１及び第２圧電アクチュエータを制御する制御部とを含む駆動ミラーを備えた装置とする。【選択図】図３
2004362741.tif 000002
【特許請求の範囲】
【請求項１】
第１圧電アクチュエータが突設された固定体と、
第２圧電アクチュエータが突設され、直線移動可能な移動体と、
前記移動体に回転可能に設けられ、ミラーが搭載された回転体と、
前記回転体の回動と前記移動体の直線移動を助けるため、前記固定体と前記移動体間と、前記移動体と前記回転体間に連結されるばねとを含み、
前記移動体には、前記第１圧電アクチュエータと接触するように第１移動突起が設けられ、前記回転体には、前記第２圧電アクチュエータと接触するように第２移動突起が設けられ、前記第１及び第２圧電アクチュエータが膨張及び収縮するように制御する駆動ミラーを備えたホログラフィック装置。
【請求項２】
前記移動体及び前記固定体はベース上に取り付けられ、前記移動体は前記ベース上で直線移動可能に設けられることを特徴とする請求項１に記載のホログラフィック装置。
【請求項３】
前記回転体は前記移動体に回転中心となるピボットによって連結されることを特徴とする請求項１に記載のホログラフィック装置。
【請求項４】
前記第１及び第２圧電アクチュエータに高周波電圧を印加すると、前記第１及び第２圧電アクチュエータが膨張することを特徴とする請求項１に記載のホログラフィック装置。
【請求項５】
前記移動体の移動及び前記回転体の回動により、前記駆動ミラーに入射するレーザ光を所望の位置に反射させることを特徴とする請求項１に記載のホログラフィック装置。
【請求項６】
ベースと、
前記ベース上に固定的に取り付けられ、第１圧電アクチュエータが突設された固定体と、
前記ベース上に直線移動可能に取り付けられ、第２圧電アクチュエータが突設された移動体と、
前記移動体に回転可能に設けられ、ミラーが搭載された回転体と、
前記回転体の回動と前記移動体の直線移動を助けるため、前記固定体と前記移動体間と、前記移動体と前記回転体間に連結されるばねと、
前記第１圧電アクチュエータと接触するように前記移動体に設けられた第１移動突起と、
前記第２圧電アクチュエータと接触するように前記回転体に設けられた第２移動突起と、
前記第１及び第２圧電アクチュエータを制御する制御部とを含む駆動ミラーを備えたホログラフィック装置。
【請求項７】
前記第１及び第２圧電アクチュエータに高周波電圧を印加すると、前記第１及び第２圧電アクチュエータが膨張することを特徴とする請求項６に記載のホログラフィック装置。
【請求項８】
（ａ）レーザ光を発生する段階と、
（ｂ）前記レーザ光を反射させて駆動ミラーに提供する段階と、
（ｃ）前記駆動ミラーにより前記レーザ光を反射させてホログラフィック媒体に入射させる段階とを含み、
前記駆動ミラーは、前記ホログラフィック媒体に入射する前記レーザ光の入射角を変化させ、前記入射角が変化しても、前記ホログラフィック媒体上の入射地点が変化しないように制御するホログラフィック方法。
【発明の詳細な説明】
【技術分野】
【０００１】
本発明は駆動ミラーを用いるホログラフィック装置及びその方法に係り、より詳しくは再生の際、ホログラフィック媒体に入射する参照光の入射角にかかわらず、ホログラフィック媒体上の同一位置に入射できるように調整可能なホログラフィックロム用駆動ミラーを含むホログラフィック装置及び方法に関するものである。
【背景技術】
【０００２】
周知のように、多量のデータの記憶が可能なホログラフィックデジタルデータ記憶システムに対する需要が継続して増加している。したがって、高密度の記憶能力を実現するために、多様な形態のホログラフィックデジタルデータ記憶システムが最近開発された。
【０００３】
ホログラフィックデジタルデータ記憶システムは、情報を含んでいる信号光と参照光を干渉させることにより、両光間に干渉縞を生じさせ、このような干渉縞を制御して、光屈折性クリスタルからなる記憶媒体に記憶させる。光屈折性クリスタルは干渉縞の強度及び位相によって違って反応する物質である。多様なホログラムは、参照光の入射角を変化させて同一空間位置に記憶でき／できるか（角度多重記録方式：angular multiplexing）、記録領域を変化させるため、記憶媒体（ホログラフィック媒体）を移動させて同一空間位置に記憶できる（シフト多重記録方式： shift multiplexing）。これにより、多量のバイナリデータのホログラムが記憶媒体に記憶できる。
【０００４】
以下、角度多重記録方式を用いる従来のホログラフィックデジタル記憶システム、例えばホログラフィックロムシステムについて、図１Ａに基づいて説明する（“Holographic ROM system for high-speed replication”, ISOM/ODS 2002 pp144〜146参照）。
【０００５】
図１Ａに示すように、ホログラフィックロムシステムは、ピックアップ部１００、ホログラフィック媒体２００、モータ２１０、制御部３００、及び信号処理部４００を含む。ここで、ホログラフィック媒体２００は角度多重記録方式で記録されたデータが記憶された媒体で、再生時、制御部３００の制御により駆動されるモータ２１０により回転される。
【０００６】
ピックアップ部１００は、ケース１０１、第１アクチュエータ１０２、光源１０４、光分離器１０６、駆動ミラー１０８、開口１１０、対物レンズ１１２、第２アクチュエータ１１４、及び受光部１１６からなる。ケース１０１の内部には、第１アクチュエータ１０２、光源１０４、光分離器１０６、駆動ミラー１０８、及び受光部１１６を収容し、開口１１０と対物レンズ１１２を介してケース１０１内に再生光を供給し、第２アクチュエータ１１４は対物レンズ１１２を移動させることができる。この際、ケース１０１及びケース内部は、第１アクチュエータ１０２により移動可能になる。一方、ケース１０１は光の進行に何等妨害を与えないように構成されている。
【０００７】
光源１０４は、再生用参照光を生成して光分離器１０６に供給し、光分離器１０６は再生用参照光を反射させて駆動ミラー１０８に入射させる。光分離器１０６により反射された再生用参照光は駆動ミラー１０８により所定角度に反射されホログラフィック媒体２００に入射する。ホログラフィック媒体２００に入射する再生用参照光の入射角は、記録の際に用いられる記録用参照光の入射角と同一である。
【０００８】
ホログラフィック媒体２００においては、駆動ミラー１０８により所定角度に反射された再生用参照光が照射されると、ホログラフィック媒体２００に既に記録されている干渉縞が再生用参照光を回折させて再生光を生成し、再生光は開口１１０及び対物レンズ１１２を介して光分離器１０６に提供される。光分離器１０６は再生光を反射させて受光部１１６に向ける。
【０００９】
受光部１１６で受光された再生光は信号処理部４００により再生される。
ホログラフィックロムシステムは、ホログラフィック媒体２００の第１角度で多重記録されたデータをその角度に対する位相共役（phase conjugation）参照光を用いて再生した後、第２角度で多重記録されたデータを再生するためには、駆動ミラー１０８の角度を変更して、再生用位相共役参照光のホログラフィック媒体２００への入射角を変更させる必要がある。
【００１０】
このような過程を繰り返すことで、ホログラフィックロムシステムは角度多重記録方式で記録されたデータを再生させる。
【００１１】
しかし、図１Ｂに示すように、再生用位相共役参照光の入射角が変更されると、ホログラフィック媒体２００に入射する再生用位相共役参照光の位置も変動し、これに伴って、再生光の出射位置も変動することにより、再生光が対物レンズ１１２の光軸から外れ、再生光の歪みが発生するため、正確な再生信号を検出することができない問題が発生し、極端な場合には再生光が対物レンズ１１２を外れるため、再生信号を検出することができなくなる。
【発明の開示】
【発明が解決しようとする課題】
【００１２】
したがって、本発明はこのような従来の問題点を解決するためになされたもので、その目的は、ホログラフィック媒体に入射する再生用位相共役参照光の角度が変化してもホログラフィック媒体上の入射点の位置が変動しないようにするホログラフィックロム用駆動ミラーを用いるホログラフィック装置及びその方法を提供することにある。
【課題を解決するための手段】
【００１３】
前記のような目的を達成するための本発明の一面によると、第１圧電アクチュエータが突設された固定体と、第２圧電アクチュエータが突設され、直線移動可能な移動体と、前記移動体に回転可能に設けられ、ミラーが搭載された回転体と、前記回転体の回動と前記移動体の直線移動を助けるため、前記固定体と前記移動体間と、前記移動体と前記回転体間に連結されるばねとを含み、前記移動体には、前記第１圧電アクチュエータと接触するように第１移動突起が設けられ、前記回転体には、前記第２圧電アクチュエータと接触するように第２移動突起が設けられ、前記第１及び第２圧電アクチュエータが膨張及び収縮するように制御する駆動ミラーを備えたホログラフィック装置が提供される。
【００１４】
本発明のほかの面によると、ベースと、前記ベース上に固定的に取り付けられ、第１圧電アクチュエータが突設された固定体と、前記ベース上に直線移動可能に取り付けられ、第２圧電アクチュエータが突設された移動体と、前記移動体に回転可能に設けられ、ミラーが搭載された回転体と、前記回転体の回動と前記移動体の直線移動を助けるため、前記固定体と前記移動体間と、前記移動体と前記回転体間に連結されるばねと、前記第１圧電アクチュエータと接触するように前記移動体に設けられた第１移動突起と、前記第２圧電アクチュエータと接触するように前記回転体に設けられた第２移動突起と、前記第１及び第２圧電アクチュエータを制御する制御部とを含む駆動ミラーを備えたホログラフィック装置が提供される。
【００１５】
本発明のさらにほかの面によると、（ａ）レーザ光を発生する段階と、（ｂ）前記レーザ光を反射させて駆動ミラーに提供する段階と、（ｃ）前記駆動ミラーにより前記レーザ光を反射させてホログラフィック媒体に入射させる段階とを含み、前記駆動ミラーは、前記ホログラフィック媒体に入射する前記レーザ光の入射角を変化させ、前記入射角が変化しても、前記ホログラフィック媒体上の入射地点が変化しないように制御するホログラフィック方法が提供される。
【発明の効果】
【００１６】
本発明によるホログラフィックロム用駆動ミラーを用いるホログラフィック装置及びその方法は、角度多重記録方式で記録されたホログラフィック媒体を再生器で再生するとき、ホログラフィック媒体に入射する再生用位相共役参照光の角度を変更しても、入射点の位置は変動しないので、再生信号の歪みを最小化することができ、よって信頼度の高い再生信号の検出が可能である。
【発明を実施するための最良の形態】
【００１７】
以下、本発明の好ましい実施例を添付図面に基づいて詳細に説明する。
【００１８】
図２は本発明によるホログラフィックロムシステムを示す概略的、図３は本発明によるホログラフィックロム用駆動ミラーの構成図である。
【００１９】
本発明は、駆動ミラー部以外は、図１Ａ及び図１Ｂに示す従来技術と同一であるので、駆動ミラー部以外の部分については同一名称及び符号を付け、重複要素についての詳細な説明は省略する。
【００２０】
図２に示すように、本発明のホログラフィックロムシステムは、ピックアップ部１００、ホログラフィック媒体２００、モータ２１０、制御部３００、及び信号処理部４００を含む。ホログラフィック媒体２００は角度多重記録方式で記録されたデータが記憶された媒体で、再生の際、制御部３００の制御により駆動されるモータ２１０により回転される。
【００２１】
ピックアップ部１００は、ケース１０１、第１アクチュエータ１０２、光源１０４、光分離器１０６、駆動ミラー部５００、開口１１０、対物レンズ１１２、第２アクチュエータ１１４、及び受光部１１６からなる。
【００２２】
ここで、駆動ミラー部５００は、本発明の特徴により、図３に示すように、ベース５１０と、該ベース５１０上の固定体５２０、移動体５３０及び回転体５４０とからなる。
【００２３】
ベース５１０は矩形のプレートからなり、ベース５１０上には固定体５２０と移動体５３０が取り付けられる。
【００２４】
固定体５２０はベース５１０上に位置固定され、その移動体５３０と対向する固定体５２０の側面には、一部は内蔵され一部は外部へ突出する第１圧電アクチュエータ（piezo-actuator）５２２が設けられる。
【００２５】
そして、ベース５１０上で直線状に摺動できるように、移動体５３０がベース５１０上に取り付けられる。一方、固定体５２０と対向する移動体５３０の側面とその反対側面には、ミラー５４２が搭載された回転体５４０が設けられ、前記回転体５４０は、移動体５３０から延長される回転中心となるピボット５４４に連結されることにより、回転体が上下方に回動可能になる。回転体５４０と対向する移動体５３０の側面には、前記第１圧電アクチュエータ５２２と同一形状の第２圧電アクチュエータ５３２が設けられる。
【００２６】
一方、固定体５２０、移動体５３０及び回転体５４０を同一線上で互いに連結するばね５５０が、固定体５２０と移動体５３０との間に、かつ移動体５３０と回転体５４０との間にそれぞれ設けられる。このばね５５０は、回転体５４０の回動と移動体５３０の直線移動に供する。
【００２７】
そして、固定体５２０と対向する移動体５３０の側面と、移動体５３０と対向する回転体５４０の側面とには、それぞれ移動突起５３３、５４３が突設される。この移動突起５３３、５４３はそれぞれ前記第１圧電アクチュエータ５２２と第２圧電アクチュエータ５３２と接触する。
【００２８】
そして、第１圧電アクチュエータ５２２と第２圧電アクチュエータ５３２を制御する制御部５００がさらに設けられる。
【００２９】
このように構成される本発明によるホログラフィックロム用駆動ミラーの動作を説明するとつぎのようである。
【００３０】
図２に示すように、ホログラフィック媒体２００に第１入射角で多重記録されたデータを再生するための再生用参照光が駆動ミラー部５００によりホログラフィック媒体２００に入射する。
【００３１】
ついで、第２入射角で多重記録されたデータを再生するため、駆動ミラーの角度を所定角度変更した場合、従来の技術によると、再生用参照光のホログラフィック媒体２００上の入射点が意図に反して変更することがあり得る。しかし、本発明の駆動ミラー部５００は、移動体５３０が直線移動するとともに回転体５４０が回動することにより、入射点が誤って変更されることを防止する。
【００３２】
固定体５２０の第１圧電アクチュエータ５２２に高周波電圧が印加されると、第１圧電アクチュエータ５２２が膨張する。この膨張作用により移動体５３０が移動することになる。第１圧電アクチュエータ５２２の膨張により、移動体５３０の移動突起５３３に圧力が加わるので、移動体５３０を回転体５４０側にベース５１０に沿って移動させる。同時に、固定体５２０と移動体５３０間に連結されたばね５５０も伸びることになる。この際、ホログラフィック媒体２００上の入射点が所望の再生データ領域と正確に一致するように、制御部５６０により移動体５３０が移動される。
【００３３】
そして、直線移動と同時に回転体５４０も所定角度回動される。
第２圧電アクチュエータ５３２に高周波電圧が印加されると、同様に移動突起５４３に圧力が加わる。この圧力により、回転体５４０はピボット５４４を中心に回転してばね５５０を圧縮させながら上方に移動する。回動程度は制御部５６０により制御される。
【００３４】
このような駆動ミラー部５００の移動体５３０と回転体５４０が移動及び回動を繰り返すことにより、ホログラフィックロムシステムは、角度多重記録方式で多様な角度で記録されたデータを再生させる。
【００３５】
一方、制御部５６０により第１及び第２圧電アクチュエータ５２２、５３２が収縮すると、ばね５５０の復元力により移動体５３０も元の位置に戻り、回転体５４０もピボット５４４を中心として元の位置に復帰することになる。
【００３６】
このように、駆動ミラー部５００は、回転体５４０による回転駆動と移動体５３０の直線移動により、再生用参照光の角度が変化しても、ホログラフィック媒体２００に記録されたデータのなかで、所望のデータ位置に再生用参照光が入射するようにすることができ、これにより、再生信号を高信頼度で検出することができる。
【００３７】
以上の内容は本発明の好ましい実施例を例示したものに過ぎないもので、本発明は、請求範囲に開示された本発明の範疇内で多様に変更及び修正可能なものである。
【図面の簡単な説明】
【００３８】
【図１】Ａ及びＢよりなり、Ａは、従来技術によるホログラフィックロムシステムの正常動作時の状態を示す概略構成図であり、Ｂは、従来技術によるホログラフィックロムシステムにおいて、再生光が対物レンズの光軸から外れて再生光の歪みが発生する状態を示す概略構成図である。
【図２】本発明によるホログラフィックロムシステムを示す概略構成図である。
【図３】図２のホログラフィックロムシステムに用いられる駆動ミラー部の構成図である。
【符号の説明】
【００３９】
１００    ピックアップ部
１０１    ケース
１０２    第１アクチュエータ
１０４    光源
１０６    光分離器
１１０    開口
１１２    対物レンズ
１１４    第２アクチュエータ
１１６    受光部
２００    ホログラフィック媒体
２１０    モータ
３００    制御部
４００    信号処理部
５００    駆動ミラー部
５１０    ベース
５２０    固定体
５２２    第１圧電アクチュエータ
５３０    移動体
５３２    第２圧電アクチュエータ
５３３    移動突起
５４０    回転体
５４２    ミラー
５４３    移動突起
５４４    ピボット
５５０    ばね
５６０    制御部
【図１】
2004362741.tif 000003
【図２】
2004362741.tif 000004
【図３】
2004362741.tif 000005